(57)【特許請求の範囲】
【請求項１】
広告配信場所に設置された広告媒体に広告コンテンツを配信するコンピュータシステムであって、
前記広告媒体に配信した広告コンテンツの配信記録を記録する記録手段と、
前記広告配信場所での第１売上データを、売上データ収集システムから取得する取得手段と、
記録した前記配信記録と、取得した前記第１売上データとに基づいた前記広告配信場所での前記広告コンテンツの配信時間帯における広告商品の第１売上を推定する推定手段と、
推定した第１売上に応じた広告掲載費を算出する算出手段と、
を備え、
前記取得手段は、前記広告配信場所が小売店の場合、当該小売店のインターネット上の売場での第３売上データを取得し、
前記推定手段は、前記記録した配信記録と取得した第３売上データとに基づいた第３売上を推定し、
前記算出手段は、推定した前記第３売上に応じた広告掲載費を算出することを特徴とすることを特徴とするコンピュータシステム。
【請求項２】
前記取得手段は、前記広告配信場所の近隣における当該広告配信場所に関連する場所での第２売上データを取得し、
前記推定手段は、前記記録した配信記録と取得した前記第２売上データとに基づいた第２売上を推定し、
前記算出手段は、推定した前記第２売上に応じた広告掲載費を算出する、
ことを特徴とする請求項１に記載のコンピュータシステム。
【請求項３】
前記算出手段は、前記第１売上に応じた広告掲載費と前記第３売上に応じた広告掲載費とを合算して最終的な広告掲載費を算出する、
ことを特徴とする請求項１に記載のコンピュータシステム。
【請求項４】
前記算出手段は、前記第１売上に応じた広告掲載費と前記第３売上に応じた広告掲載費に所定の係数をかけたものとを合算して最終的な広告掲載費を算出する、
ことを特徴とする請求項１に記載のコンピュータシステム。
【請求項５】
前記算出手段は、前記第１売上に応じた広告掲載費と、前記第２売上に応じた広告掲載費と、前記第３売上に応じた広告掲載費とを合算して最終的な広告掲載費を算出する、
ことを特徴とする請求項２に記載のコンピュータシステム。
【請求項６】
前記算出手段は、前記第１売上に応じた広告掲載費と、前記第２売上に応じた広告掲載費及び前記第３売上に応じた広告掲載費の其々に所定の係数をかけたものとを合算して最終的な広告掲載費を算出する、
ことを特徴とする請求項２に記載のコンピュータシステム。
【請求項７】
広告配信場所に設置された広告媒体に広告コンテンツを配信するコンピュータが実行する広告コンテンツ配信方法であって、
前記広告媒体に配信した広告コンテンツの配信記録を記録するステップと、
前記広告配信場所での第１売上データを、売上データ収集システムから取得するステップと、
記録した前記配信記録と、取得した前記第１売上データとに基づいた前記広告配信場所での前記広告コンテンツの配信時間帯における広告商品の第１売上を推定するステップと、
推定した第１売上に応じた広告掲載費を算出するステップと、
を備え、
前記取得するステップは、前記広告配信場所が小売店の場合、当該小売店のインターネット上の売場での第３売上データを取得し、
前記推定するステップは、前記記録した配信記録と取得した第３売上データとに基づいた第３売上を推定し、
前記算出するステップは、推定した前記第３売上に応じた広告掲載費を算出することを特徴とする広告コンテンツ配信方法。
【請求項８】
広告配信場所に設置された広告媒体に広告コンテンツを配信するコンピュータに、
前記広告媒体に配信した広告コンテンツの配信記録を記録するステップ、
前記広告配信場所での第１売上データを、売上データ収集システムから取得するステップ、
記録した前記配信記録と、取得した前記第１売上データとに基づいた前記広告配信場所での前記広告コンテンツの配信時間帯における広告商品の第１売上を推定するステップ、
推定した第１売上に応じた広告掲載費を算出するステップを実行させ、
前記取得するステップは、前記広告配信場所が小売店の場合、当該小売店のインターネット上の売場での第３売上データを取得し、
前記推定するステップは、前記記録した配信記録と取得した第３売上データとに基づいた第３売上を推定し、
前記算出するステップは、推定した前記第３売上に応じた広告掲載費を算出するためのコンピュータ読み取り可能なプログラム。
【発明の詳細な説明】
【技術分野】
【０００１】
本発明は、広告配信場所に設置された広告媒体に広告コンテンツを配信するコンピュータシステム、広告コンテンツ配信方法及びプログラムに関する。
【背景技術】
【０００２】
近年、様々な広告配信場所（例えば、スーパーマーケットやコンビニ等の小売店、ビルの壁面、銀行やホテルやアミューズメントスポットや病院や空港や駅や美術間等の各種施設）に設置された広告媒体（例えば、デジタルサイネージ）に広告コンテンツ（例えば、動画や静止画等の画像やテキスト等のメッセージや各種音声）を配信し、広告対象となる広告商品の販売を促すことが行われている。このような広告コンテンツの配信において、広告媒体主は、広告を配信する代わりに、広告配信場所や広告コンテンツの配信時間に応じて、広告主から所定の広告掲載費を回収する。【０００３】
配信した広告コンテンツの効果の測定方法としては、ある広告媒体サイトに掲載された広告を見た利用者が、この広告関連のキャンペーンに応募して実店舗で買物をしたことを把握する構成が開示されている（特許文献１参照）。
【先行技術文献】
【特許文献】
【０００４】
【特許文献１】特表２０１５−１９４８４３号公報
【発明の概要】
【発明が解決しようとする課題】
【０００５】
しかしながら、特許文献１の構成では、広告コンテンツの効果を把握することは容易となるものの、この効果と広告掲載費とが無関係であるため、適切な広告掲載費を算出することが困難であった。【０００６】
本発明は、適切な広告掲載費を算出することが容易なコンピュータシステム、広告コンテンツ配信方法及びプログラムを提供することを目的とする。
【課題を解決するための手段】
【０００７】
本発明では、以下のような解決手段を提供する。【０００８】
本発明は、広告配信場所に設置された広告媒体に広告コンテンツを配信するコンピュータシステムであって、
前記広告媒体に配信した広告コンテンツの配信記録を記録する記録手段と、
前記広告配信場所での第１売上データを、売上データ収集システムから取得する取得手段と、
記録した前記配信記録と、取得した前記第１売上データとに基づいた前記広告配信場所での前記広告コンテンツの配信時間帯における広告商品の第１売上を推定する推定手段と、
推定した第１売上に応じた広告掲載費を算出する算出手段と、
を備え、
前記取得手段は、前記広告配信場所が小売店の場合、当該小売店のインターネット上の売場での第３売上データを取得し、
前記推定手段は、前記記録した配信記録と取得した第３売上データとに基づいた第３売上を推定し、
前記算出手段は、推定した前記第３売上に応じた広告掲載費を算出することを特徴とするコンピュータシステムを提供する。
【０００９】
本発明によれば、広告配信場所に設置された広告媒体に広告コンテンツを配信するコンピュータシステムは、前記広告媒体に配信した広告コンテンツの配信記録を記録し、前記広告配信場所での第１売上データを、売上データ収集システムから取得し、記録した前記配信記録と、取得した前記第１売上データとに基づいた前記広告配信場所での前記広告コンテンツの配信時間帯における広告商品の第１売上を推定し、推定した第１売上に応じた広告掲載費を算出し、広告配信場所が小売店の場合、当該小売店のインターネット上の売場での第３売上データを取得し、前記記録した配信記録と取得した第３売上データとに基づいた第３売上を推定し、推定した前記第３売上に応じた広告掲載費を算出する。
【００１０】
本発明は、システムのカテゴリであるが、方法及びプログラム等の他のカテゴリにおいても、そのカテゴリに応じた同様の作用・効果を発揮する。
【発明の効果】
【００１１】
本発明によれば、適切な広告掲載費を算出することが容易なコンピュータシステム、広告コンテンツ配信方法及びプログラムを提供することが可能となる。
【図面の簡単な説明】
【００１２】
【図１】図１は、広告コンテンツ配信システム１の概要を示す図である。
【図２】図２は、広告コンテンツ配信システム１の全体構成図である。
【図３】図３は、コンピュータ１０が実行する広告コンテンツ登録処理のフローチャートを示す図である。
【図４】図４は、コンピュータ１０が実行する第１の広告掲載費算出処理のフローチャートを示す図である。
【図５】図５は、コンピュータ１０が実行する第２の広告掲載費算出処理のフローチャートを示す図である。
【図６】図６は、コンピュータ１０が実行する第３の広告掲載費算出処理のフローチャートを示す図である。
【発明を実施するための形態】
【００１３】
以下、本発明を実施するための最良の形態について図を参照しながら説明する。なお、これはあくまでも例であって、本発明の技術的範囲はこれに限られるものではない。
【００１４】
［広告コンテンツ配信システム１の概要］
本発明の好適な実施形態の概要について、図１に基づいて説明する。図１は、本発明の好適な実施形態である広告コンテンツ配信システム１の概要を説明するための図である。広告コンテンツ配信システム１は、コンピュータ１０から構成され、広告配信場所に設置された広告媒体に広告コンテンツを配信するコンピュータシステムである。
【００１５】
広告配信場所、広告媒体及び広告コンテンツは、上述した通りである。以下の説明において、広告配信場所は、店舗であるものとして説明する。
【００１６】
なお、広告コンテンツ配信システム１は、広告媒体、広告コンテンツの配信を希望する広告主が所持する広告主端末（例えば、スマートフォンやタブレット端末等の携帯端末、スマートグラス等のヘッドマウントディスプレイやスマートウォッチといったウェアラブル端末、デスクトップ型やラップトップ型等のパーソナルコンピュータ）、店舗に設置されたＰＯＳ（Ｐｏｉｎｔ  Ｏｆ  ｓａｌｅ  Ｓｙｓｔｅｍ）レジ、店舗に設置されたＱＲコードや電子マネーやクレジットカード等の決済を行う決済端末、ＰＯＳレジから売上データを収集するＰＯＳサーバや決済端末から売上データを収集する決済システムからなる売上データ収集システム、その他の端末や装置類等が含まれていてもよい。この場合、広告コンテンツ配信システム１は、後述する各処理を、コンピュータ１０と含まれる端末や装置類等との何れか又は複数の組み合わせにより実行することになる。
【００１７】
また、広告コンテンツ配信システム１は、例えば、コンピュータ１０等の１台のコンピュータで実現されてもよいし、クラウドコンピュータのように、複数のコンピュータで実現されてもよい。
【００１８】
コンピュータ１０は、広告媒体、広告主端末、ＰＯＳレジ、決済端末、売上データ収集システム、その他の端末や装置類等と、公衆回線網等を介して、データ通信可能に接続されており、必要なデータや情報の送受信を実行する。
【００１９】
コンピュータ１０は、広告媒体に配信した広告コンテンツの配信記録を記録する。配信記録は、例えば、広告コンテンツが広告する広告商品の識別子（例えば、名称、ＩＤ、管理番号）、広告コンテンツの広告配信場所（店舗）の識別子（例えば、名称、ＩＤ、管理番号、住所）、広告コンテンツの配信時間帯である。コンピュータ１０は、予め自身が記録する広告コンテンツを広告媒体に配信した配信記録を記録する。
【００２０】
コンピュータ１０は、広告配信場所での第１売上データを、売上データ収集システムから取得する。第１売上データは、例えば、店舗の識別子、各商品の識別子、売上金額、売上時間である。売上データ収集システムは、ＰＯＳサーバや決済システムが広告配信場所のＰＯＳレジや決済端末から収集した売上データを、第１売上データとして、コンピュータ１０に送信する。コンピュータ１０は、この第１売上データを受信することにより、広告配信場所での第１売上データを取得することになる。
【００２１】
コンピュータ１０は、記録した配信記録と、取得した第１売上データとに基づいた広告配信場所での広告コンテンツの配信時間帯における広告商品の第１売上を推定する。例えば、コンピュータ１０は、配信記録における配信時間帯と、第１売上データにおける売上時間帯とを参照し、この時間帯における広告商品の売上金額を第１売上として推定する。
【００２２】
コンピュータ１０は、推定した第１売上に応じた広告掲載費を算出する。例えば、コンピュータ１０は、予め設定された金額に応じた広告掲載費に基づいて、今回推定した第１売上に応じた広告掲載費を算出する。
【００２３】
なお、コンピュータ１０は、広告配信場所の近隣（例えば、数百ｍ以内、１ｋｍ以内、数ｋｍ以内）における広告配信場所に関連する関連場所（例えば、系列店舗や系列施設、関連店舗や関連施設）での売上データを、第２売上データとして取得し、配信記録と、この第２売上データとに基づいた広告商品の第２売上を推定し、推定した第２売上に応じた広告掲載費を算出する構成も可能である。
【００２４】
また、コンピュータ１０は、広告配信場所が小売店の場合、この小売店のインターネット上の売場での売上データを、第３売上データとして取得し、配信記録と、この第３売上データとに基づいた広告商品の第３売上を推定し、推定した第３売上に応じた広告掲載費を算出する構成も可能である。
【００２５】
次に、広告コンテンツ配信システム１が実行する処理の概要について説明する。
【００２６】
はじめに、コンピュータ１０は、広告媒体に配信した広告コンテンツの配信記録を記録する（ステップＳ０１）。コンピュータ１０は、予め、自身が記録する広告コンテンツを配信した配信記録を記録する。
【００２７】
コンピュータ１０は、上述した第１売上データを、売上データ収集システムから取得する（ステップＳ０２）。売上データ収集システムは、広告配信場所におけるＰＯＳレジや決済端末から収集した売上データを第１売上データとして、コンピュータ１０に送信する。コンピュータ１０は、第１売上データを受信することにより、第１売上データを取得することになる。
【００２８】
コンピュータ１０は、記録した配信記録と、取得した第１売上データとに基づいた広告配信場所での広告コンテンツの配信時間帯における広告商品の第１売上を推定する（ステップＳ０３）。コンピュータ１０は、配信記録における広告コンテンツの配信時間帯と、第１売上データにおける売上時間とを参照し、この配信時間帯における広告商品の売上金額を第１売上として推定する。
【００２９】
コンピュータ１０は、推定した第１売上に応じた広告掲載費を算出する（ステップＳ０４）。コンピュータ１０は、予め設定された金額に応じた広告掲載費に基づいて、今回推定した第１売上に応じた広告掲載費を算出する。
【００３０】
以上が、広告コンテンツ配信システム１が実行する処理の概要である。
【００３１】
［広告コンテンツ配信システム１のシステム構成］
図２に基づいて、本発明の好適な実施形態である広告コンテンツ配信システム１のシステム構成について説明する。図２は、本発明の好適な実施形態である広告コンテンツ配信システム１のシステム構成を示す図である。図２において、広告コンテンツ配信システム１は、コンピュータ１０から構成され、広告配信場所に設置された広告媒体に広告コンテンツを配信するコンピュータシステムである。
【００３２】
コンピュータ１０は、広告媒体、広告主端末、ＰＯＳレジ、決済端末、売上データ収集システム、その他の端末や装置類等と、公衆回線網等を介して、データ通信可能に接続されており、必要なデータや情報の送受信を実行する。
【００３３】
なお、広告コンテンツ配信システム１は、図示していない広告媒体、広告主端末、ＰＯＳレジ、決済端末、売上データ収集システム、その他の端末や装置類等が含まれていてもよい。この場合、広告コンテンツ配信システム１は、後述する各処理を、コンピュータ１０と含まれる端末や装置類等との何れか又は複数の組み合わせにより実行することになる。
【００３４】
また、広告コンテンツ配信システム１は、例えば、コンピュータ１０等の１台のコンピュータで実現されてもよいし、クラウドコンピュータのように、複数のコンピュータで実現されてもよい。
【００３５】
コンピュータ１０は、ＣＰＵ（Ｃｅｎｔｒａｌ  Ｐｒｏｃｅｓｓｉｎｇ  Ｕｎｉｔ）、ＧＰＵ（Ｇｒａｐｈｉｃｓ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等を備え、通信部として、他の端末や装置等と通信可能にするためのデバイス、例えば、ＩＥＥＥ８０２．１１に準拠したＷｉ―Ｆｉ（Ｗｉｒｅｌｅｓｓ―Ｆｉｄｅｌｉｔｙ）対応デバイス等を備える。また、コンピュータ１０は、記録部として、ハードディスクや半導体メモリ、記録媒体、メモリカード等によるデータのストレージ部を備える。また、コンピュータ１０は、処理部として、各種処理を実行する各種デバイス等を備える。
【００３６】
コンピュータ１０において、制御部が所定のプログラムを読み込むことにより、通信部と協働して、コンテンツ情報取得モジュール２０、コンテンツ配信モジュール２１、売上データ取得モジュール２２を実現する。また、コンピュータ１０において、制御部が所定のプログラムを読み込むことにより、記録部と協働して、記録モジュール３０を実現する。また、コンピュータ１０において、制御部が所定のプログラムを読み込むことにより、処理部と協働して、売上推定モジュール４０、広告掲載費算出モジュール４１を実現する。
【００３７】
［広告コンテンツ登録処理］
図３に基づいて、広告コンテンツ配信システム１が実行する広告コンテンツ登録処理について説明する。図３は、コンピュータ１０が実行する広告コンテンツ登録処理のフローチャートを示す図である。上述した各モジュールが実行する処理について、本処理に併せて説明する。
【００３８】
コンテンツ情報取得モジュール２０は、広告媒体に配信する広告コンテンツ及びこの広告コンテンツに関する情報をコンテンツ情報として取得する（ステップＳ１０）。ステップＳ１０において、広告コンテンツに関する情報は、例えば、広告コンテンツの識別子（例えば、名称、ＩＤ、管理番号）、広告する商品である広告商品の識別子（例えば、名称、ＩＤ、管理番号）、広告媒体の識別子（例えば、名称、ＩＤ、管理番号、ＩＰアドレス、ＭＡＣアドレス）、広告コンテンツの広告配信場所の識別子（例えば、名称、ＩＤ、管理番号、住所）、広告コンテンツの配信時間帯である。広告主端末は、コンテンツ情報の入力を受け付け、コンピュータ１０に送信する。コンテンツ情報取得モジュール２０は、コンテンツ情報を受信することにより、コンテンツ情報を取得することになる。
【００３９】
記録モジュール３０は、取得したコンテンツ情報を記録する（ステップＳ１１）。記録モジュール３０がコンテンツ情報を記録することにより、コンピュータ１０は、広告媒体に配信する広告コンテンツを登録することになる。
【００４０】
以上が、広告コンテンツ登録処理である。
【００４１】
［第１の広告掲載費算出処理］
図４に基づいて、広告コンテンツ配信システム１が実行する第１の広告掲載費算出処理について説明する。図４は、コンピュータ１０が実行する第１の広告掲載費算出処理のフローチャートを示す図である。上述した各モジュールが実行する処理について、本処理に併せて説明する。
【００４２】
コンテンツ配信モジュール２１は、記録したコンテンツ情報に基づいて、広告コンテンツを広告媒体に配信する（ステップＳ２０）。ステップＳ２０において、コンテンツ情報に含まれる広告媒体の識別子や広告配信場所の識別子に基づいて、広告コンテンツの配信先となる広告媒体を特定する。また、コンテンツ配信モジュール２１は、コンテンツ情報に含まれる配信時間帯に基づいて、この広告コンテンツを配信する時間帯を特定する。コンテンツ配信モジュール２１は、特定した広告媒体及び配信時間帯に基づいて、コンテンツ情報における広告コンテンツを送信する。広告媒体は、広告コンテンツを受信し、自身の表示部に表示や音声部から放音する。この結果、コンテンツ配信モジュール２１は、広告コンテンツを広告媒体に配信することになる。
【００４３】
記録モジュール３０は、広告媒体に配信した広告コンテンツの配信記録を記録する（ステップＳ２１）。ステップＳ２１において、記録モジュール３０は、コンテンツ配信モジュール２１が配信した広告コンテンツのコンテンツ情報を、配信記録として記録する。配信記録は、例えば、広告コンテンツが広告する広告商品の識別子、広告コンテンツの広告配信場所（店舗）の識別子、広告コンテンツの配信時間帯が含まれる。
【００４４】
売上データ取得モジュール２２は、広告配信場所での売上を、第１売上データとして、売上データ収集システムから取得する（ステップＳ２２）。ステップＳ２２において、売上データ収集システムは、広告配信場所におけるＰＯＳレジや決済端末から第１売上データを収集する。売上データ収集システムは、一の広告配信場所にのみ、広告コンテンツを配信した広告媒体が設置されている場合、この一の広告配信場所における第１売上データを収集し、複数の広告配信場所に、広告コンテンツを配信した広告媒体が設置されている場合、複数の配信場所における第１売上データを収集する。売上データ収集システムは、収集した第１売上データを、コンピュータ１０に送信する。売上データ取得モジュール２２は、この第１売上データを受信することにより、第１売上データを取得することになる。
【００４５】
売上推定モジュール４０は、記録した配信記録と、取得した第１売上データとに基づいた広告配信場所での広告コンテンツの配信時間帯における広告商品の第１売上を推定する（ステップＳ２３）。ステップＳ２３において、売上推定モジュール４０は、配信記録における広告コンテンツの配信時間帯と、第１売上データにおける売上時間帯とを比較し、時間帯が一致する第１売上データを特定する。売上推定モジュール４０は、特定した第１売上データにおける広告商品の売上金額を特定する。売上推定モジュール４０は、この特定した売上金額を、第１売上として推定する。
【００４６】
広告掲載費算出モジュール４１は、推定した第１売上に応じた広告掲載費を、第１広告掲載費として算出する（ステップＳ２４）。ステップＳ２４において、広告掲載費算出モジュール４１は、予め設定された金額に応じた広告掲載費に基づいて、今回推定した第１売上に応じた第１広告掲載費を算出する。
【００４７】
コンピュータ１０は、算出した第１広告掲載費を、最終的な広告掲載費として広告主に対して請求することになる。
【００４８】
以上が、第１の広告掲載費算出処理である。
【００４９】
［第２の広告掲載費算出処理］
図５に基づいて、広告コンテンツ配信システム１が実行する第２の広告掲載費算出処理について説明する。図５は、コンピュータ１０が実行する第２の広告掲載費算出処理のフローチャートを示す図である。上述した各モジュールが実行する処理について、本処理に併せて説明する。なお、上述した処理と同様の処理については、その詳細な説明は省略する。
【００５０】
売上データ取得モジュール２２は、広告配信場所の近隣における広告配信場所に関連する関連場所での売上データを、第２売上データとして取得する（ステップＳ３０）。ステップＳ３０において、第２売上データは、第１売上データと同様のものである。売上データ収集システムは、関連場所におけるＰＯＳレジや決済端末から第２売上データを収集する。売上データ収集システムは、近隣に一の関連場所のみ存在する場合、一の関連場所における第２売上データを収集し、近隣に複数の関連場所が存在する場合、複数の関連場所における第２売上データを収集する。売上データ収集システムは、収集した第２売上データを、コンピュータ１０に送信する。売上データ取得モジュール２２は、この第２売上データを受信することにより、第２売上データを取得することになる。
【００５１】
売上推定モジュール４０は、記録した配信記録と、取得した第２売上データとに基づいた関連場所での広告コンテンツの配信時間帯における広告商品の第２売上を推定する（ステップＳ３１）。ステップＳ３１において、売上推定モジュール４０は、配信記録における広告コンテンツの配信時間帯と、第２売上データにおける売上時間帯とを比較し、時間帯が一致する第２売上データを特定する。売上推定モジュール４０は、特定した第２売上データにおける広告商品の売上金額を特定する。売上推定モジュール４０は、この特定した売上金額を、第２売上として推定する。
【００５２】
広告掲載費算出モジュール４１は、推定した第２売上に応じた広告掲載費を、第２広告掲載費として算出する（ステップＳ３２）。ステップＳ３２において、広告掲載費算出モジュール４１は、予め設定された金額に応じた広告掲載費に基づいて、今回推定した第２売上に応じた第２広告掲載費を算出する。
【００５３】
広告掲載費算出モジュール４１は、上述した第１広告掲載費と、第２広告掲載費とに基づいて、最終的な広告掲載費を算出する（ステップＳ３３）。ステップＳ３３において、広告掲載費算出モジュール４１は、第１広告掲載費と第２広告掲載費とを合算することにより、最終的な広告掲載費を算出する。
【００５４】
なお、広告掲載費算出モジュール４１は、第２広告掲載費に所定の係数をかけたものと、第１広告掲載費とを合算することや、その他の方法により、最終的な広告掲載費を算出する構成であってもよい。これは、関連場所における広告商品の売上は、必ずしも広告コンテンツの効果によるものではないことが考えられるため、これを係数として反映することを意図するものである。
【００５５】
コンピュータ１０は、算出した最終的な広告掲載費を、広告主に対して請求することになる。
【００５６】
以上が、第２の広告掲載費算出処理である。
【００５７】
［第３の広告掲載費算出処理］
図６に基づいて、広告コンテンツ配信システム１が実行する第３の広告掲載費算出処理について説明する。図６は、コンピュータ１０が実行する第３の広告掲載費算出処理のフローチャートを示す図である。上述した各モジュールが実行する処理について、本処理に併せて説明する。なお、上述した処理と同様の処理については、その詳細な説明は省略する。
【００５８】
売上データ取得モジュール２２は、広告配信場所が小売店の場合、この小売店のインターネット上の売場での売上を、第３売上データとして、売上データ収集システムから取得する（ステップＳ４０）。ステップＳ４０において、第３売上データは、第１売上データと同様のものである。売上データ収集システムは、この売場の第３売上データを収集する。売上データ収集システムは、収集した第３売上データを、コンピュータ１０に送信する。売上データ取得モジュール２２は、この第３売上データを受信することにより、第３売上データを取得することになる。
【００５９】
売上推定モジュール４０は、記録した配信記録と、取得した第３売上データとに基づいたインターネット上の売場での広告コンテンツの配信時間帯における広告商品の第３売上を推定する（ステップＳ４１）。ステップＳ４１において、売上推定モジュール４０は、配信記録における広告コンテンツの配信時間帯と、第３売上データにおける売上時間帯とを比較し、時間帯が一致する第３売上データを特定する。売上推定モジュール４０は、特定した第３売上データにおける広告商品の売上金額を特定する。売上推定モジュール４０は、この特定した売上金額を、第３売上として推定する。
【００６０】
広告掲載費算出モジュール４１は、推定した第３売上に応じた広告掲載費を、第３広告掲載費として算出する（ステップＳ４２）。ステップＳ４２において、広告掲載費算出モジュール４１は、予め設定された金額に応じた広告掲載費に基づいて、今回推定した第３売上に応じた第３広告掲載費を算出する。
【００６１】
広告掲載費算出モジュール４１は、上述した第１広告掲載費と、第３広告掲載費とに基づいて、最終的な広告掲載費を算出する（ステップＳ４３）。ステップＳ４３において、広告掲載費算出モジュール４１は、第１広告掲載費と第３広告掲載費とを合算することにより、最終的な広告掲載費を算出する。
【００６２】
なお、広告掲載費算出モジュール４１は、第３広告掲載費に所定の係数をかけたものと、第１広告掲載費とを合算することや、その他の方法により、最終的な広告掲載費を算出する構成であってもよい。これは、インターネット上の売場における広告商品の売上は、必ずしも広告コンテンツの効果によるものではないことが考えられるため、これを係数として反映することを意図するものである。
【００６３】
また、広告掲載費算出モジュール４１は、上述した第１広告掲載費と、上述した第２広告掲載費と、第３広告掲載費とに基づいて、最終的な広告掲載費を算出する構成であってもよい。この場合、第１広告掲載費と、第２広告掲載費と、第３広告掲載費とを合算することにより、最終的な広告掲載費を算出することや、第２広告掲載費及び第３広告掲載費の其々に所定の係数をかけたものを第１広告掲載費と合算することや、その他の方法により、最終的な広告掲載費を算出する構成であってもよい。
【００６４】
コンピュータ１０は、算出した最終的な広告掲載費を、広告主に対して請求することになる。
【００６５】
以上が、第３の広告掲載費算出処理である。
【００６６】
上述した手段、機能は、コンピュータ（ＣＰＵ、情報処理装置、各種端末を含む）が、所定のプログラムを読み込んで、実行することによって実現される。プログラムは、例えば、コンピュータからネットワーク経由で提供される（ＳａａＳ：ソフトウェア・アズ・ア・サービス）形態で提供される。また、プログラムは、例えば、フレキシブルディスク、ＣＤ（ＣＤ−ＲＯＭなど）、ＤＶＤ（ＤＶＤ−ＲＯＭ、ＤＶＤ−ＲＡＭなど）等のコンピュータ読取可能な記録媒体に記録された形態で提供される。この場合、コンピュータはその記録媒体からプログラムを読み取って内部記録装置又は外部記録装置に転送し記録して実行する。また、そのプログラムを、例えば、磁気ディスク、光ディスク、光磁気ディスク等の記録装置（記録媒体）に予め記録しておき、その記録装置から通信回線を介してコンピュータに提供するようにしてもよい。
【００６７】
以上、本発明の実施形態について説明したが、本発明は上述したこれらの実施形態に限るものではない。また、本発明の実施形態に記載された効果は、本発明から生じる最も好適な効果を列挙したに過ぎず、本発明による効果は、本発明の実施形態に記載されたものに限定されるものではない。
【符号の説明】
【００６８】
１  広告コンテンツ配信システム、１０  コンピュータ
【図１】
0006967822.tif 000002
【図２】
0006967822.tif 000003
【図３】
0006967822.tif 000004
【図４】
0006967822.tif 000005
【図５】
0006967822.tif 000006
【図６】
0006967822.tif 000007